(57)【要約】【課題】食餌の支障にならず、且つ牛が被傷することも無く、しかも必要な拘引作用を発揮し得る牛用鼻木を提供する。【解決手段】鼻中隔６２を貫通して取付けられる貫通材４と、該貫通材４より大径であって該貫通材４の一端４ａ側に設けられる第１端部材２と他端４ｂ側に設けられる第２の端部材３を備えるとともに、第１端部材２を着脱自在に構成する。係る構成の鼻木１によれば、鼻木１は、各端部材２、３によって鼻中隔６２からの抜け止めがなされた状態で、該鼻中隔６２部分に、且つ左右の鼻孔間に跨るようにして装着されることから、例えば従来の鼻木のように該鼻木の一部が鼻中隔部分からぶら下がってこれが食餌の支障になるとか、特に放牧牛の場合にはこの垂れ下がり部分が周囲の雑木等に引っ掛って牛の行動が規制されるとか、牛が被傷するというようなことが未然に且つ確実に防止され、牛の安全な飼育が実現される。【選択図】図１
2008148682.tif 000002
【特許請求の範囲】
【請求項１】
牛（６０）の左右の鼻腔（６１），（６１）間の鼻中隔（６２）を貫通して取付けられる牛用鼻木であって、
上記鼻中隔（６２）を貫通して取付けられる直棒状の貫通材（４）と、該貫通材（４）より大径の端部材であって該貫通材（４）の一端（４ａ）側に設けられる第１端部材（２）と他端（４ｂ）側に設けられる第２の端部材（３）を備えるとともに、
上記第１端部材（２）を上記一端（４ａ）に対して着脱自在に構成したことを特徴とする牛用鼻木。
【請求項２】
請求項１において、
上記貫通材（４）の一端（４ａ）に尖頭状の突刺部（７）が設けられるとともに、該突刺部（７）は、上記第１端部材（２）の上記貫通材（４）への取付状態において該第１端部材（２）によって被抱される構成であることを特徴とする牛用鼻木。
【請求項３】
請求項１又は２において、
上記貫通材（４）が、樹脂材又は木質材からなる管体であって、その内周穴には金属製の芯材（６）を嵌着させた構成であることを特徴とする牛用鼻木。
【請求項４】
請求項１、２又は３において、
上記第１端部材（２）と上記第２端部材（３）が、共に、その軸方向外端部に掛止部（２４）を備えていることを特徴とする牛用鼻木。
【発明の詳細な説明】
【技術の分野】
【０００１】  本願発明は、牛の鼻中隔部分にこれを貫通して取付けられて、牛の拘引時には把持部あるいはロープ結び部として利用される牛用鼻木に関するものである。
【背景技術】
【０００２】  従来から、牛用鼻木としては種々の構造が提案されている（例えば、特許文献１、特許文献２参照）。【０００３】  特許文献１に示される鼻木は、直状の桁木に、略Ｕ字状形体を有し且つその一端を尖頭状の突刺部とした鼻串で構成される。鼻木の取付けに際しては、上記突刺部で牛の鼻中隔を突き刺して鼻串を貫通させ、しかる後、鼻串の両端を上記桁木に固定し、略Ｄ字形体とする。そして、牛の拘引時には、上記桁木部分を作業者が掴むとか、これにロープを結びつけるものである。【０００４】  特許文献２に示される鼻木は、可撓性の棒材を略Ｃ字状に湾曲成形し、その一端を尖頭状の突刺部とする一方、他端には上記突刺部を連結固定するための受け部を設けたものである。そして、牛に鼻木を取付ける場合には、該鼻木の両端の連結を解いてこれを開き、上記突刺部を牛の鼻中隔に突き刺して貫通させ、しかる後、両端を連結して円環状形体とする。そして、牛の拘引時には、鼻木を作業者が掴むとか、これにロープを結びつけるものである。【０００５】
【特許文献１】  特開２００４−２４８６５７号公報
【特許文献２】  特開２００６−１４６７４号公報。
【発明の開示】
【発明が解決しようとする課題】
【０００６】  ところが、これらの鼻木を用いた場合、常時、牛の鼻部分にＤ字形体とか円環状形体の鼻木が露出状態でぶら下がっているため、食餌の際にこれが邪魔になるという問題は従来から存在したが、これに加えて近年の飼育形態の変化から新たな問題も生じている。【０００７】  即ち、牛の飼育形態としては、鼻木のロープを結びつけ、該ロープによって牛の行動範囲を規制する形態が従来一般的であったが、近年は飼育事業者の集約傾向を受けて、牛の行動を規制しない山野における放牧による飼育が主流になりつつある。係る放牧形態においては、牛の鼻に垂れ下がった鼻木が、周辺の雑木とか放牧施設の一部に引っ掛かって牛の行動が規制され、場合によっては牛が被傷することもあった。一方、放牧では、牛をポープで拘引する頻度は極めて少なく、しかも拘引するとしても牛の出荷時等の拘引力をさほど必要としないような場合に限られ、従来のような大きな環状形体の鼻木を用いる必要性は殆ど無い。【０００８】  そこで本願発明は、放牧という牛の飼育形態に着目し、食餌の支障にならず、且つ牛が被傷することも無く、しかも必要な拘引作用を発揮し得る牛用鼻木を提供することを目的としてなされたものである。
【課題を解決するための手段】
【０００９】  本発明ではかかる課題を解決するための具体的手段として次のような構成を採用している。【００１０】  本願の第１の発明では、牛６０の左右の鼻腔６１，６１間の鼻中隔６２を貫通して取付けられる牛用鼻木において、上記鼻中隔６２を貫通して取付けられる直棒状の貫通材４と、該貫通材４より大径の端部材であって該貫通材４の一端４ａ側に設けられる第１端部材２と他端４ｂ側に設けられる第２の端部材３を備えるとともに、上記第１端部材２を上記一端４ａに対して着脱自在に構成したことを特徴としている。【００１１】  本願の第２の発明では、上記第１の発明に係る牛用鼻木において、上記貫通材４の一端４ａに尖頭状の突刺部７を設けるとともに、該突刺部７を、上記第１端部材２の上記貫通材４への取付状態において該第１端部材２によって被抱される構成としたことを特徴としている。【００１２】  本願の第３の発明では、上記第１又は第２の発明に係る牛用鼻木において、上記貫通材４を、樹脂材又は木質材からなる管体で構成し、且つその内周穴に金属製の芯材６を嵌着させたことを特徴としている。【００１３】  本願の第４の発明では、上記第１、第２又は第３の発明に係る牛用鼻木において、上記第１端部材２と上記第２端部材３が、共に、その軸方向外端部に掛止部２４を備えていることを特徴としている。
【発明の効果】
【００１４】  （ａ）  本願の第１の発明に係る牛用鼻木では、鼻中隔６２を貫通して取付けられる直棒状の貫通材４と、該貫通材４より大径の端部材であって該貫通材４の一端４ａ側に設けられる第１端部材２と他端４ｂ側に設けられる第２の端部材３を備えるとともに、上記第１端部材２を上記一端４ａに対して着脱自在に構成しているので、鼻木１の装着に際しては、上記第１端部材２を取り外し、上記貫通材４部分を牛６０の鼻中隔６２に貫通させた後、該貫通材４に上記第１端部材２を取付けることで、上記鼻木１は、上記各端部材２、３によって鼻中隔６２からの抜け止めがなされた状態で、該鼻中隔６２部分に、且つ左右の鼻孔間に跨るようにして装着される。【００１５】  従って、鼻木１の装着状態においては、例えば従来の鼻木のように該鼻木の一部が鼻中隔部分からぶら下がってこれが食餌の支障になるとか、特に放牧牛の場合にはこの垂れ下がり部分が周囲の雑木等に引っ掛って牛の行動が規制されるとか、牛が被傷するというようなことが未然に且つ確実に防止され、牛の安全な飼育が実現される。【００１６】  また、牛を拘引するような場合には、上記鼻木１の上記各端部材２、３部分を把持すればよく、拘引作業上において何等問題は生じない。【００１７】  （ｂ）  本願の第２の発明に係る牛用鼻木によれば、上記（ａ）に記載の効果に加えて以下のような特有の効果が得られる。即ち、この発明では、上記貫通材４の一端４ａに尖頭状の突刺部７を設けるとともに、該突刺部７を、上記第１端部材２の上記貫通材４への取付状態において該第１端部材２によって被抱される構成としているので、上記鼻木１を牛に装着する際には、上記第１端部材２を上記貫通材４の一端４ａ側から取外して上記突刺部７を露出させ、該突刺部７で牛の鼻中隔６２部分に孔を明けてこれを通し、しかる後、上記貫通材４の一端４ａ側に上記第１端部材２を取付けることで、上記鼻木１の牛への装着作業が完了する。従って、上記鼻木１の装着作業が極めて簡略化され、作業性が良好ならしめられる。【００１８】  また、上記貫通材４の一端４ａ側に上記第１端部材２を取付けることで、該第１端部材２によって上記突刺部７が被抱され、上記鼻木１を装着した状態における高い安全性が確保される。【００１９】  （ｃ）  本願の第３の発明に係る牛用鼻木によれば、上記（ａ）又は（ｂ）に記載の効果に加えて以下のような特有の効果が得られる。即ち、この発明では、上記貫通材４を、樹脂材又は木質材からなる管体で構成し、且つその内周穴に金属製の芯材６を嵌着させた構成としているので、該芯材６の剛性によって上記貫通材４の強度性能が確保され、使用上の信頼性の高い牛用鼻木を得ることができる。【００２０】  （ｄ）  本願の第４の発明に係る牛用鼻木によれば、上記（ａ）、（ｂ）又は（ｃ）に記載の効果に加えて以下のような特有の効果が得られる。即ち、この発明では、上記第１端部材２と上記第２端部材３が、共に、その軸方向外端部に掛止部２４を備えているので、牛をロープ１０によって拘引する場合には、該ロープ１０を上記第１端部材２又は上記第２端部材３の掛止部２４部分に結びつけることで、該ロープ１０の上記鼻木１からの離脱が確実に防止され、信頼性の高い拘引��業が可能となる。
【発明を実施するための最良の形態】
【００２１】  以下、本発明を好適な実施形態に基づいて具体的に説明する。【００２２】  Ａ：第１の実施形態
図１及び図２には、本願発明の第１の実施形態に係る鼻木１を示している。この鼻木１は、図５に示すように、牛６０の鼻中隔６２を左右方向に貫通させた状態で、左右の鼻孔６１，６１間に跨って配置されるもので、次述のように、貫通材４の両端４ａ，４ｂにそれぞれ第１端部材２と第２端部材３を設けて構成される。【００２３】  上記貫通材４は、図３にも示されるように所定長さ及び外径寸法をもつ樹脂材又は木質材でなる管体で構成されるものであって、その外周面のうち、上記両端４ａ，４ｂ寄りの所定範囲には螺条が形成され、それぞれ第１ネジ部４２、第２ネジ部４３とされている。また、上記第１ネジ部４２と第２ネジ部４３の中間部分４ｃは、平滑な面をもつ保持部４１とされる。【００２４】  また、上記貫通材４の軸心を通って貫通する内周穴４４には、その外周面に螺旋溝６ｃが設けられた金属製棒体でなる芯材６が弾圧挿入され、該芯材６と上記貫通材４が一体化されている。この場合、上記芯材６の先端６ａは円錐形の尖頭状に形成される一方、他端６ｂは切り落とし端とされている。【００２５】  そして、上記貫通材４に上記芯材６を弾圧挿入してこれを固定した状態において、該芯材６の先端６ａに対応する上記貫通材４の一端４ａを、上記芯材６の先端６ａの尖頭形状を延長させた形状に削って傾斜面４５とし、該傾斜面４５と上記芯材６の先端６ａの両者で、該貫通材４の外周面から円錐形に延びる尖頭形状の突刺部７を構成している。【００２６】  上記第１端部材２及び第２端部材３は同一構成であるため、ここでは第１端部材２と第２端部材３の各部分に同一の符号を付した上で、第１端部材２を例にとってその構造を説明する。【００２７】  上記第１端部材２は、図１〜図３に示すように、樹脂材又は木質材でなる段付き軸体で一体構成され、小径の軸部２１と該軸部２１より大径で且つ該軸部２１の端部に連続する円板部２２を備えている。【００２８】  尚、上記軸部２１の端面２１ａは円弧状に面取りされている。また、上記円板部２２も、その外面が曲面状に面取りされるとともに、上記軸部２１と円板部２２の連続部分も曲面状に面取りされている。この面取り部分から上記円板部２２に掛けての部分で特許請求の範囲中の「掛止部２４」が構成される。【００２９】  上記第１端部材２の上記軸部２１の軸心部に設けられた軸穴２３には、次述のネジ部材５が取付けられる。即ち、上記ネジ部材５は、金属製の筒体で構成され、その外周面は外ネジ部５ａ、内周面は内ネジ部５ｂとされている。このネジ部材５は、上記第１端部材２の軸穴２３内に螺入固定され、該第１端部材２と一体化されている。また、上記ネジ部材５の上記内ネジ部５ｂには、上記貫通材４の第１ネジ部４２又は第２ネジ部４３が螺入される。【００３０】  ここで、上記貫通材４に対する上記第１端部材２及び第２端部材３の取付けについて説明する。【００３１】  図１、図２及び図４に示すように、上記貫通材４の第１ネジ部４２又は第２ネジ部４３に上記第１端部材２及び第２端部材３が取付けられ、これらの取付状態においては、上記第１端部材２と第２端部材３の中間に上記保持部４１が存在し、該保持部４１の軸方向両端はそれぞれ上記第１端部材２及び上記第２端部材３の端面２５が対向状態で位置している。【００３２】  この場合、上記第１ネジ部４２への上記第１端部材２の取付けは、着脱可能な螺回組付けとされ、上記第１端部材２が取付けられた状態では、図１及び図２に示すように、該第１端部材２によって上記貫通材４の上記突刺部７が被抱され、その安全性が確保される一方、上記第１端部材２が取外された状態では、図４に示すように、上記貫通材４の上記突刺部７が露出される。【００３３】  また、上記第２ネジ部４３への上記第２端部材３の取付けは、これを着脱自在とする構成とも可能ではあるが、上記鼻木１の装着作業時の作業性を考慮して、この実施形態においては、固着取付としている。この固着方法としては、例えば、上記第２端部材３の締込力を高くしてセルフロック作用を生じさせるとか、螺合部に接着剤を塗布して接着固定する、等のことが考えられる。以上にようにして構成された上記鼻木１を図１及び図４に示している。【００３４】  次に、上記鼻木１を牛６０の鼻部分に装着する場合の手順について説明する。装着に際しては、先ず、図４に示すように、上記鼻木１から上記第１端部材２を取外して上記突刺部７を露出させる。しかるのち、図５に示すように、牛６０の左右の鼻孔６１，６１の中間に位置する鼻中隔６２に、その一方側から上記鼻木１の上記突刺部７を突き刺してこれを貫通させる。そのあと、上記突刺部７を被抱するように上記貫通材４の一端４ａ側に上記第１端部材２を螺着する。この場合、使用中に上記第１端部材２が外れないように、上記第１端部材２の締込力を調整する。以上で、上記鼻木１の牛６０の鼻部分への装着作業が完了する。【００３５】  この鼻木装着状態においては、図５に示すように、上記鼻木１は、牛６０の左右の鼻孔６１，６１間に跨るように水平方向に向けて保持される。そして、上記第１端部材２と第２端部材３の各端面２５、２５が薄６０の鼻中隔６２の側面に係合することで、上記鼻木１の横ずれ及び抜けによる脱落が確実に防止される。【００３６】  従って、牛６０の食餌の際に上記鼻木１が口６３側に垂れ下がることがなく、食餌がし易くなる。また、牛６０が放牧牛であっても、上記鼻木１が直棒状であり、且つ垂れ下がりがないことから、従来のように該鼻木１が周囲の雑木等に引っ掛って牛の行動が規制されるとか、牛が被傷するというようなことが未然に且つ確実に防止され、これによって牛６０の安全な飼育が実現されるものである。【００３７】  一方、牛６０を拘引する必要が生じた場合には、上記鼻木１の掛止部２２を手で掴むとか、図１及び図５に示すように、ロープ１０を上記鼻木１の上記掛止部２２に結びつけることで目的を達することができる。【００３８】  Ｂ：第２の実施形態
図６及び図７には、本願発明の第２の実施形態に係る鼻木１を示している。この実施形態の鼻木１は、上記第１の実施形態に係る鼻木１と基本構造を同じにするものであって、これと異なる点は、第１の実施形態においては上記第２端部材３と貫通材４を別体構成とし、これを固着一体化するようにしていたのに対して、この第２の実施形態では上記第２端部材３と貫通材４を一体形成してこれを鼻木本体Ｐとし、この鼻木本体Ｐと上記第１端部材２の２部材で鼻木１を構成した点である。【００３９】  即ち、図８に示すように、上記鼻木本体Ｐは、平滑な外周面をもつ保持部４１とその外周面にネジが刻設されたネジ部４２からなる小径軸状の貫通材４と、該貫通材４より大径の軸部２１と該軸部２１の端部に設けられた円板部２２からなる第２端部材３を、同軸状に一体形成して構成される。また、上記鼻木本体Ｐの軸心部には、上記ネジ部４２側の端面から上記軸部２１まで延びる貫通孔４４が形成され、該貫通孔４４内に上記芯材６が嵌挿固定されている。そして、上記貫通材４の端部４ａ側は、上記芯材６の端部６ａと共に円錐形に延びる尖頭形状の突刺部７とされている。【００４０】  このように、上記第２端部材３と貫通材４を上記鼻木本体Ｐとして一体形成した場合には、例えば、上記第１の実施形態のように上記第１端部材２と第２端部材３及び貫通材４をそれぞれ別体構成した場合に比して、部品点数が少なく、製作工数の低減が図れるという利点がある。【００４１】  なお、この実施形態の鼻木１における上記以外の構成及び作用効果は、上記第１の実施形態における鼻木１の場合と同様であるので、図６〜図８の各部材に、図１〜図４の各部材に対応させて符号を付した上で、上記第１の実施形態における該当説明を援用し、ここでの説明を省略する。【００４２】  Ｃ：第３の実施形態
図９及び図１０には、本願発明の第３の実施形態に係る鼻木１を示している。この実施形態の鼻木１は、上記第２の実施形態に係る鼻木１と基本構造を同じにするものであって、これと異なる点は、第２の実施形態においては上記第１端部材２と第２端部材３の端部にそれぞれ単一の円板部２２を設け、該円板部２２の内側部分（上記軸部２１寄り部分）を上記ロープ１０を掛止するための掛止部２４としていたのに対して、この実施形態では、上記第１端部材２及び第２端部材３の端部に大径の第１円板部２２Ａと小径の第２円板部２２Ｂを、該第１円板部２２Ａが軸端惻に位置し且つこれら第１円板部２２Ａと第２円板部２２Ｂを軸方向に所定寸法だけ離間させた状態で形成し、これら第１円板部２２Ａと第２円板部２２Ｂの中間に形成される円周溝部分をそれぞれ掛止部２４とした点である。【００４３】  係る構成によれば、上記掛止部２４の上記ロープ１０を結ぶことで、該ロープ１０の軸方向両側への移動が上記第１円板部２２Ａと第２円板部２２Ｂによって規制されることから、該ロープ１０の固定が確実となり、延いては上記ロープ１０による牛の抱引性がさらに向上することになる。【００４４】  なお、上記第１端部材２及び第２端部材３の形状及び寸法については、上記構成に限定されるものではなく、必要に応じて適宜設定できるものである。【００４５】  また、上記第１円板部２２Ａと第２円板部２２Ｂ以外の構成及び作用効果については上記第２実施形態の場合と同様であるので、該第２実施形態の該当記載を援用することで、ここでの説明を省略する。
【図面の簡単な説明】
【００４６】
【図１】  本願発明の第１の実施形態に係る牛用鼻木の全体斜視図である。
【図２】  図１に示した鼻木の断面図である。
【図３】  図１に示した鼻木の分解斜視図である。
【図４】  図１に示した鼻木の装着操作の説明図である。
【図５】  鼻木の装着状態図である。
【図６】  本願発明の第２の実施形態に係る牛用鼻木の装着前の状態を示す斜視図である。
【図７】  図６に示した鼻木の分解斜視図である。
【図８】  図６に示した鼻木の分解斜視図である。
【図９】  本願発明の第３の実施形態に係る牛用鼻木の装着前の状態を示す斜視図である。
【図１０】  図９に示した鼻木の分解斜視図である。
【符号の説明】
【００４７】  １    ・・鼻木
２    ・・第１端部材
３    ・・第２端部材
４    ・・貫通材
５    ・・ネジ部材
６    ・・芯材
７    ・・突刺部
１０    ・・ロープ
２１    ・・軸部
２２    ・・円板部
２２Ａ  ・・第１円板部
２２Ｂ  ・・第２円板部
２３    ・・軸穴
２４    ・・掛止部
２５    ・・端面
２６    ・・端面
４１    ・・保持部
４２    ・・第１ネジ部
４３    ・・第２ネジ部
４４    ・・内周孔
４５    ・・傾斜面
６０    ・・牛
６１    ・・鼻腔
６２    ・・鼻中隔
Ｐ    ・・鼻木本体
【図１】
2008148682.tif 000003
【図２】
2008148682.tif 000004
【図３】
2008148682.tif 000005
【図４】
2008148682.tif 000006
【図５】
2008148682.tif 000007
【図６】
2008148682.tif 000008
【図７】
2008148682.tif 000009
【図８】
2008148682.tif 000010
【図９】
2008148682.tif 000011
【図１０】
2008148682.tif 000012